(57)【要約】      （修正有）【課題】ユーザが直感的な操作によって情報を記録し、他のユーザとの間で情報を共有する。【解決手段】情報処理装置１００は、文字または画像からなるメッセージの入力操作を取得する操作部１２０と、操作部１２０によって取得された入力操作に応じて、メッセージを記録する記録制御部１４２と、記録制御部１４２によって記録されたメッセージを再生して表示部１１０に表示させる再生制御部１４４と、を備える。記録制御部１４２は、さらに、入力操作の状態を記録し、再生制御部１４４は、入力操作の状態に応じてメッセージを加工して再生してもよい。【選択図】図２
2012003689.tif 000002
【特許請求の範囲】
【請求項１】
文字または画像からなるメッセージの入力操作を取得する操作部と；
前記操作部によって取得された前記入力操作に応じて、前記メッセージを記録する記録制御部と；
前記記録制御部によって記録された前記メッセージを再生して表示部に表示させる再生制御部と；
を備える情報処理装置。
【請求項２】
前記記録制御部は、さらに、前記入力操作の状態を記録し、
前記再生制御部は、前記入力操作の状態に応じて前記メッセージを加工して再生する、請求項１に記載の情報処理装置。
【請求項３】
前記記録制御部は、前記入力操作の所要時間を記録し、
前記再生制御部は、前記入力操作の所要時間に応じた再生時間で前記メッセージのアニメーションを再生する、請求項２に記載の情報処理装置。
【請求項４】
前記再生制御部は、前記入力操作における前記メッセージの入力の間隔部分について、前記再生時間を前記入力操作の所要時間よりも短縮して前記メッセージのアニメーションを再生する、請求項３に記載の情報処理装置。
【請求項５】
前記再生制御部は、前記メッセージの全体と、前記メッセージのアニメーションとを並行して再生する、請求項３または４に記載の情報処理装置。
【請求項６】
前記再生制御部は、前記メッセージを所定の部分に分割し、前記各所定の部分のアニメーションを並行して再生する、請求項３〜５のいずれか１項に記載の情報処理装置。
【請求項７】
前記再生制御部は、前記入力操作の所要時間が第１の所定の閾値を上回る場合、前記再生時間を前記入力操作の所要時間よりも短縮して前記メッセージのアニメーションを再生する、請求項３〜６のいずれか１項に記載の情報処理装置。
【請求項８】
前記再生制御部は、前記入力操作の所要時間が第２の所定の閾値を上回る場合、前記再生時間を前記入力操作の所要時間に関わらず一定の値にして前記メッセージのアニメーションを再生する、請求項３〜７のいずれか１項に記載の情報処理装置。
【請求項９】
前記再生制御部は、前記入力操作の所要時間が第３の所定の閾値を下回る場合、前記再生時間を前記入力操作の所要時間よりも短縮して前記メッセージのアニメーションを再生する、請求項３〜８のいずれか１項に記載の情報処理装置。
【請求項１０】
前記再生制御部は、前記入力操作の所要時間が第４の所定の閾値を上回る場合、前記再生時間を前記入力操作の所要時間よりも延長して前記メッセージのアニメーションを再生する、請求項３〜９のいずれか１項に記載の情報処理装置。
【請求項１１】
文字または画像からなるメッセージの入力操作を取得するステップと；
前記取得するステップにおいて取得された前記入力操作に応じて、前記メッセージを記録するステップと；
前記記録するステップにおいて記録された前記メッセージを再生して表示部に表示させるステップと；
を含む情報処理方法。
【請求項１２】
文字または画像からなるメッセージの入力操作を取得する処理と；
前記取得する処理において取得された前記入力操作に応じて、前記メッセージを記録する処理と；
前記記録する処理において記録された前記メッセージを再生して表示部に表示させる処理と；
をコンピュータに実行させるためのプログラム。
【発明の詳細な説明】
【技術分野】
【０００１】
本発明は、情報処理装置、情報処理方法およびプログラムに関する。
【背景技術】
【０００２】
近年、電子化されたコミュニケーション手段が急速に発達している。例えば、電子メールによる情報のやりとりや、Ｗｅｂページ上の電子掲示板（ＢＢＳ：Bulletin  Board  System）による情報の共有が今日一般的である。一方、実際に人が集まる場所、例えば家庭では、コルクボードや留守番電話のように、文字、画像または音声による情報をその場所で記録して残すことによって、後にその場所に来た人と情報を共有するというコミュニケーション手段も古くから普及している。
【０００３】
上記の各コミュニケーション手段は、それぞれ利点を有する。例えば、ＢＢＳは、時系列で情報の履歴を保持し、必要に応じて参照することができるという利点を有する。また、コルクボードは、重要な情報を目立つように表示したり、手書きによる文字や装飾によって情報の記録者の意図や感情を表現したりして、直感的な操作によって、高い自由度で情報を記録および共有できるという利点を有する。
【０００４】
このような各コミュニケーション手段の利点を兼ね備えた、新たなコミュニケーション手段が開発されている。例えば、特許文献１には、携帯電話機からホームネットワークを介して表示装置に表示された情報を他の携帯電話機を用いて読み取る電子コルクボードシステムに関する技術が記載されている。
【先行技術文献】
【特許文献】
【０００５】
【特許文献１】特開２００８−２６３３８５号公報
【発明の概要】
【発明が解決しようとする課題】
【０００６】
しかし、特許文献１に記載のように、携帯電話機を用いて情報のやりとりをする場合、例えば手書きによるコルクボードに比べると、直感的な操作や、情報の記録の自由度という点において、なお改善の余地が大きいといえる。
【０００７】
そこで、本発明は、上記問題に鑑みてなされたものであり、本発明の目的とするところは、ユーザが直感的な操作によって情報を記録し、他のユーザとの間で情報を共有することが可能な、新規かつ改良された情報処理装置、情報処理方法およびプログラムを提供することにある。
【課題を解決するための手段】
【０００８】
上記課題を解決するために、本発明のある観点によれば、文字または画像からなるメッセージの入力操作を取得する操作部と、上記操作部によって取得された上記入力操作に応じて、上記メッセージを記録する記録制御部と、上記記録制御部によって記録された上記メッセージを再生して表示部に表示させる再生制御部と、を備える情報処理装置が提供される。
【０００９】
このような構成によって、ユーザは情報処理装置に対する直感的な操作によってメッセージを記録することができる。記録されたメッセージは、情報処理装置において再生される。他のユーザが再生されたメッセージを見ることによって、メッセージを入力したユーザと、再生されたメッセージを見た他のユーザとの間で、情報を共有することができる。
【００１０】
ここで、上記記録制御部は、さらに、上記入力操作の状態を記録し、上記再生制御部は、上記入力操作の状態に応じて上記メッセージを加工して再生してもよい。
【００１１】
また、上記記録制御部は、上記入力操作の所要時間を記録し、上記再生制御部は、上記入力操作の所要時間に応じた再生時間で上記メッセージのアニメーションを再生してもよい。
【００１２】
また、上記再生制御部は、上記入力操作における上記メッセージの入力の間隔部分について、上記再生時間を上記入力操作の所要時間よりも短縮して上記メッセージのアニメーションを再生してもよい。
【００１３】
また、上記再生制御部は、上記メッセージの全体と、上記メッセージのアニメーションとを並行して再生してもよい。
【００１４】
また、上記再生制御部は、上記メッセージを所定の部分に分割し、上記各所定の部分のアニメーションを並行して再生してもよい。
【００１５】
また、上記再生制御部は、上記入力操作の所要時間が第１の所定の閾値を上回る場合、上記再生時間を上記入力操作の所要時間よりも短縮して上記メッセージのアニメーションを再生してもよい。
【００１６】
また、上記再生制御部は、上記入力操作の所要時間が第２の所定の閾値を上回る場合、上記再生時間を上記入力操作の所要時間に関わらず一定の値にして上記メッセージのアニメーションを再生してもよい。
【００１７】
また、上記再生制御部は、上記入力操作の所要時間が第３の所定の閾値を下回る場合、上記再生時間を上記入力操作の所要時間よりも短縮して上記メッセージのアニメーションを再生してもよい。
【００１８】
また、上記再生制御部は、上記入力操作の所要時間が第４の所定の閾値を上回る場合、上記再生時間を上記入力操作の所要時間よりも延長して上記メッセージのアニメーションを再生してもよい。
【００１９】
また、上記課題を解決するために、本発明の別の観点によれば、文字または画像からなるメッセージの入力操作を取得するステップと、上記取得するステップにおいて取得された上記入力操作に応じて、上記メッセージを記録するステップと、上記記録するステップにおいて記録された上記メッセージを再生して表示部に表示させるステップと、を含む情報処理方法が提供される。
【００２０】
また、上記課題を解決するために、本発明のさらに別の観点によれば、文字または画像からなるメッセージの入力操作を取得する処理と、上記取得する処理において取得された上記入力操作に応じて、上記メッセージを記録する処理と、上記記録する処理において記録された上記メッセージを再生して表示部に表示させる処理と、をコンピュータに実行させるためのプログラムが提供される。
【発明の効果】
【００２１】
以上説明したように本発明によれば、ユーザが直感的な操作によって情報を記録し、他のユーザとの間で情報を共有することができる。
【図面の簡単な説明】
【００２２】
【図１】本発明の第１の実施形態に係る情報処理装置の外観を示す図である。
【図２】同実施形態に係る情報処理装置の機能構成を示すブロック図である
【図３】同実施形態における表示画面について説明するための図である。
【図４】同実施形態において表示される第１の表示画面の一例を示す図である。
【図５】同実施形態において表示される第１の表示画面の他の例を示す図である。
【図６】同実施形態において表示される第２の表示画面の一例を示す図である。
【図７】同実施形態において表示される第１の表示画面と第２の表示画面との表示割合の変更について説明するための図である。
【図８】同実施形態において表示される入力パネルによる手書きメッセージの作成画面の一例を示す図である。
【図９】同実施形態において表示される入力パネルによる、カメラ部を用いた写真の撮影画面の一例を示す図である。
【図１０】同実施形態において表示される入力パネルによる、写真への書き込み画面の一例を示す図である。
【図１１】同実施形態におけるメッセージの移動操作について説明するための図である。
【図１２】同実施形態におけるメッセージの削除操作について説明するための図である。
【図１３】本発明の第２の実施形態において、手書きメッセージが再生される過程の一例を説明するための図である。
【図１４】同実施形態において、手書きメッセージが再生される過程の別の例を説明するための図である。
【図１５】同実施形態におけるメッセージの入力操作の所要時間と再生時間との関係の一例を示すグラフである。
【図１６】同実施形態におけるメッセージの入力操作の所要時間と再生時間との関係の他の例を示すグラフである。
【図１７】本発明の第３の実施形態に係る情報処理装置の機能構成を示すブロック図である。
【図１８】同実施形態における表示画面の一例を示す図である。
【図１９】同実施形態における新着メッセージの表示の処理を説明するためのフローチャートである。
【発明を実施するための形態】
【００２３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２４】
なお、説明は以下の順序で行うものとする。
１．第１の実施形態
１−１．装置構成
１−２．表示画面の構成
１−３．メッセージの入力操作
１−４．メッセージの移動および削除操作
２．第２の実施形態
３．第３の実施形態
４．補足
【００２５】
＜１．第１の実施形態＞
［１−１．装置構成］
まず、図１および図２を参照して、本発明の第１の実施形態に係る情報処理装置の構成について説明する。
【００２６】
図１は、本発明の第１の実施形態に係る情報処理装置１００の外観を示す図である。図１を参照すると、情報処理装置１００は、表示部１１０および操作部１２０を有し、カメラ部１３０が必要に応じて追加される。
【００２７】
情報処理装置１００は、例えば家庭内に設置されて、表示されたメッセージを家族のそれぞれが見ることによって情報を共有するために用いられる。情報処理装置１００が設置される場所は家庭内には限られず、例えばオフィスや学校であってもよい。情報処理装置１００は、図示されているように、表示部１１０、操作部１２０、およびカメラ部１３０が一体に構成された装置でありうるが、表示部１１０、操作部１２０、およびカメラ部１３０は、それぞれ別体に構成されてもよい。情報処理装置１００は、専用の装置であってもよいが、例えばデジタルフォトフレーム、テレビ、パーソナルコンピュータ（タブレット型、ノート型、デスクトップ型のいずれでもありうる）、または携帯端末など、表示部１１０と操作部１２０を備えるあらゆる種類の装置は、アプリケーションソフトウェアがインストールされることによって情報処理装置１００として機能しうる。
【００２８】
表示部１１０は、文字または画像からなるメッセージを、ユーザに向けて表示する。表示部１１０は、例えばＬＣＤ（Liquid  Crystal  Display）、ＰＤＰ（Plasma  Display  Panel）、または有機ＥＬ（Electro-Luminescence）パネルでありうる。表示部１１０は、情報処理装置１００の他の部分とは別体に構成される場合、例えばＨＤＭＩ（High-Definition  Multimedia  Interface）などのインターフェースによって接続されていてもよい。
【００２９】
操作部１２０は、文字または画像からなるメッセージの、ユーザによる入力操作を取得する。操作部１２０は、図示されているように、表示部１１０の表面に設けられたタッチパネルであってもよく、タブレット、マウス、またはキーボードなどの他の入力装置であってもよい。また、操作部１２０は、複数の入力装置を組み合わせたものであってもよい。
【００３０】
ここで、操作部１２０が入力操作を取得するメッセージは、例えば、タイピングメッセージ、手書きメッセージ、手書きスケジュール、写真、または写真書き込みなど、文字または画像からなるあらゆる種類のメッセージでありうる。文字は、タイピングによるものでも手書きによるものでもよい。また、画像は、写真であっても、手描きのイラストであってもよい。操作部１２０によるメッセージの入力操作は、例えばスケジュールのように、予め用意されたフォーマットに対する任意の情報の追加であってもよく、またカメラ部１３０によって取得された写真に対して写真書き込みを追加するように、既に記録されたメッセージの編集であってもよい。
【００３１】
カメラ部１３０は、カメラ部１３０は、操作部１２０が取得した入力操作に応じて、画像を取得する。カメラ部１３０は、情報処理装置１００の他の部分とは別体に構成される場合、例えばＵＳＢ（Universal  Serial  Bus）、またはＩＥＥＥ１３９４などのインターフェースによって接続されていてもよい。
【００３２】
図２は、本発明の第１の実施形態に係る情報処理装置１００の機能構成を示すブロック図である。図２を参照すると、情報処理装置１００は、表示部１１０、操作部１２０、制御部１４０、および記憶部１５０を有し、カメラ部１３０が必要に応じて追加される。
【００３３】
制御部１４０は、操作部１２０が取得したユーザの入力操作に応じてメッセージを記録する記録制御部１４２と、記録されたメッセージを再生して表示部１１０に表示させる再生制御部１４４とを含む。制御部１４０は、例えば集積回路などを含む回路構成によって実装されてもよく、また、記憶部１５０に格納されたプログラムを実行するＣＰＵ（Central  Processing  Unit）によって実装されてもよい。
【００３４】
記憶部１５０には、情報処理装置１００における処理に必要なデータが格納される。例えば、記憶部１５０には、記録制御部１４２によって記録されたメッセージが格納される。また、記憶部１５０には、制御部１４０がＣＰＵによって実装される場合に、ＣＰＵに実行させることによって制御部１４０として機能させるプログラムが格納されうる。
【００３５】
［１−２．表示画面の構成］
次に、図３〜図７を参照して、本発明の第１の実施形態に係る情報処理装置によって表示される表示画面の構成について説明する。
【００３６】
図３は、本発明の第１の実施形態における表示画面について説明するための図である。図３を参照すると、情報処理装置１００の再生制御部１４４は、第１の表示画面２００および第２の表示画面３００を、表示部１１０に表示する。再生制御部１４４は、図示されているように、第１の表示画面２００と第２の表示画面３００とを重畳させて表示部１１０に表示させる。再生制御部１４４は、さらに、ユーザの操作に応じてメッセージを入力するための入力パネル４００（図示せず）を表示部１１０に表示してもよい。入力パネル４００については後述する。
【００３７】
第１の表示画面２００は、記録制御部１４２によって記録されたメッセージが時系列で表示される表示画面である。第１の表示画面２００は、例えば記録されたメッセージの履歴を表示するメッセージロールとして機能する。第１の表示画面２００に表示されたメッセージは、ユーザが移動または削除の操作をするか、または所定の期間が経過するまで、第１の表示画面２００において表示される。
【００３８】
ここで、第１の表示画面２００に表示されたメッセージが数多くあって、表示部１１０に表示しきれない場合、再生制御部１４４は、第１の表示画面２００を特定の方向にスクロールさせる。図示されている第１の表示画面２００は、画面の上下方向にスクロールする。ユーザが操作部１２０に対して特に操作をしない場合、表示部１１０には、記録された最新のメッセージを含む第１の表示画面２００が表示される。ユーザが操作部１２０に対して、例えば画面上部または下部の選択操作、または画面上方または下方へのドラッグ操作などのスクロール操作をした場合、再生制御部１４４は、第１の表示画面２００をスクロールさせ、より古い、またはより新しいメッセージの履歴を表示する。なお、第１の表示画面２００と、第１の表示画面２００に表示されるメッセージの詳細については後述する。
【００３９】
第２の表示画面３００は、記録制御部１４２によって記録されたメッセージのうち、ユーザによって選択されたメッセージが表示される表示画面である。第２の表示画面３００は、例えばユーザにとって重要な、またはユーザの興味の対象であるメッセージだけを見やすいところに表示するコルクボードとして機能する。第２の表示画面３００に表示されたメッセージは、ユーザが移動または削除の操作をするまで、第２の表示画面３００において表示される。
【００４０】
ここで、第２の表示画面３００に表示されるメッセージは、再生制御部１４４が、操作部１２０が取得したユーザの指示に従って、第１の表示画面２００に表示されたメッセージを第２の表示画面３００にコピーまたは移動することによって間接的に追加されてもよい。また、第２の表示画面３００に表示されるメッセージは、記録制御部１４２が、操作部１２０が取得した、第２の表示画面３００を入力先とするユーザの入力操作に従ってメッセージを記録することによって直接的に追加されてもよい。第２の表示画面３００にメッセージが直接的に追加される場合、再生制御部１４４は、追加されたメッセージを、メッセージの履歴として第１の表示画面２００に自動的にコピーしてもよい。
【００４１】
また、第２の表示画面３００は、第１の表示画面２００とは異なり、スクロールしないように設定されてもよい。さらに、ユーザが次々と第２の表示画面３００にメッセージを追加し、表示部１１０に表示しきれなくなる場合、記録制御部１４２は、ユーザによる第２の表示画面３００へのメッセージ追加の操作を受け付けなくなることによって、ユーザに第２の表示画面３００に表示されたメッセージの整理を促すように設定されてもよい。なお、第２の表示画面３００と、第２の表示画面３００に表示されるメッセージの詳細については後述する。
【００４２】
図４は、本発明の第１の実施形態において表示される第１の表示画面２００の一例を示す図である。図４を参照すると、第１の表示画面２００には、タイピングメッセージ２１０ａ、手書きメッセージ２２０、および入力ボタン２３０が表示される。第１の表示画面２００には、この他に、手書きスケジュール、写真または写真書き込みなど、他の種類のメッセージが表示されてもよい。第１の表示画面２００には、図示されているように日付時刻が表示されてもよい。なお、図示されている例では、画面の上方から下方に向かってメッセージの履歴が表示されているが、メッセージの履歴が表示される向きは、例えば、画面の下方から上方に向かう向きでもよく、また画面の左右のいずれかに向かう向きでもよい。
【００４３】
タイピングメッセージ２１０ａは、情報処理装置１００の操作部１２０に含まれる例えばキーボードなどの入力装置によって入力操作がされたメッセージである。タイピングメッセージ２１０ａは、図示されているように、文字の他に、メッセージの記録者を示すアイコン画像を伴ってもよい。図示されている例において、タイピングメッセージ２１０ａは白黒で示されているが、他の１または複数の色でカラー表示されてもよい。また、タイピングメッセージ２１０ａは、記録された時を示す日付時刻情報を伴ってもよい。
【００４４】
手書きメッセージ２２０は、後述する入力パネル４００によって入力される。手書きメッセージ２２０は、「Ｈｏｗ  ａｂｏｕｔ  ｔｈｉｓ？」という文字と、「靴のイラスト」の画像とを含む。図示されている例において、手書きメッセージ２２０は白黒で示されているが、他の１または複数の色でカラー表示されてもよい。また、手書きメッセージ２２０は、図示されているように、記録された時を示す日付時刻情報を伴ってもよい。
【００４５】
ここで、再生制御部１４４は、第１の表示画面２００において表示されるタイピングメッセージ２１０ａ、手書きメッセージ２２０、およびその他のメッセージについて、少なくとも前後のメッセージの間で傾きが異なるように、所定の角度だけ自動的に傾けて各メッセージを表示してもよい。図示されている例においては、タイピングメッセージ２１０ａは、右が下になるような角度で傾いており、手書きメッセージ２２０は、左が下になるような別の角度で傾いており、タイピングメッセージ２１０ａと手書きメッセージ２２０との間で傾きが異なる。このように表示することによって、ユーザがそれぞれのメッセージを区別して読むことが容易になる。
【００４６】
入力ボタン２３０は、入力パネル４００を呼び出すためのボタンである。入力パネル４００においては、操作部１２０に含まれるタッチパネル、タブレット、またはマウスなどによって、手書きメッセージ２２０の入力操作が可能である。再生制御部１４４は、ユーザが操作部１２０に対して特に操作をしない場合には、入力ボタン２３０を非表示にし、ユーザが操作部１２０に対して何らかの操作をした場合に表示してもよい。なお、入力パネル４００については後述する。
【００４７】
図５は、本発明の第１の実施形態において表示される第１の表示画面２００の他の例を示す図である。図５を参照すると、表示画面２００に、タイピングによる追加メッセージ２１０ｂが新たに追加されようとしている。なお、手書きによる追加メッセージが追加される場合については後述する。
【００４８】
追加メッセージ２１０ｂは、情報処理装置１００の操作部１２０に含まれる例えばキーボードなどの入力装置によってユーザが入力操作中のメッセージである。追加メッセージ２１０ｂは、図示されているように、文字の他に、メッセージの記録者を示すアイコン画像を伴ってもよい。図示されている例において、追加メッセージ２１０ｂは白黒で示されているが、他の１または複数の色でカラー表示されてもよい。追加メッセージ２１０ｂは、入力操作後にユーザが所定の操作をすることによって、第１の表示画面２００に表示されるメッセージの履歴に取り込まれる。
【００４９】
ここで、再生制御部１４４は、追加メッセージ２１０ｂを、第１の表示画面２００の最下部に表示する。また、再生制御部１４４は、第１の表示画面２００の最下部に追加メッセージ２１０ｂを表示した分、それまでに表示されていたタイピングメッセージ２１０ａ、および手書きメッセージ２２０を、より古いメッセージであるタイピングメッセージ２１０ａが表示されている方向にスクロールさせて表示する。また、再生制御部１４４は、追加メッセージ２１０ｂを表示するときに、重複する入力ボタン２３０を非表示にしてもよい。
【００５０】
図６は、本発明の第１の実施形態において表示される第２の表示画面３００の一例を示す図である。図６を参照すると、第２の表示画面３００には、手書きスケジュール３１０、写真３２０、写真書き込み３３０、および入力ボタン３４０が表示される。第２の表示画面３００には、この他に、タイピングメッセージ、または手書きメッセージなど、その他の種類のメッセージが表示されてもよい。第２の表示画面３００には、この他に、図示されているように日付時刻が表示されてもよい。
【００５１】
手書きスケジュール３１０は、後述する入力パネル４００によって入力される。図示されている例においては、日付の部分がフォーマットとして予め用意されており、ユーザは「Ｄａｄｄｙ’ｓ  Ｂｉｒｔｈｄａｙ」の部分を手書きで入力することによって、手書きスケジュール３１０を入力する。第２の表示画面３００は、例えばこの手書きスケジュール３１０のように、ユーザにとって重要なメッセージを、目につく場所に表示して忘れないようにするために用いられうる。
【００５２】
写真３２０は、情報処理装置１００がカメラ部１３０を有する場合に、カメラ部１３０によって取得された画像である。なお、カメラ部１３０を用いた画像の記録については後述する。写真書き込み３３０は、後述する入力パネル４００によって入力される。図示されている例においては、まずカメラ部１３０によって写真３２０が記録され、さらにユーザが操作部１２０に対して、入力パネル４００を用いた写真書き込み３３０の入力操作をすることによって、写真３２０に対する写真書き込み３３０が記録される。第２の表示画面３００は、例えばこの写真３２０および写真書き込み３３０のように、ユーザの興味の対象であるメッセージを、見やすい場所に表示して頻繁に見て楽しむために用いられうる。
【００５３】
入力ボタン３４０は、入力パネル４００を呼び出すためのボタンである。入力パネル４００においては、操作部１２０に含まれるタッチパネル、タブレット、またはマウスなどによって、手書きメッセージなどの入力操作が可能である。再生制御部１４４は、ユーザが操作部１２０に対して特に操作をしない場合には、入力ボタン３４０を非表示にし、ユーザが操作部１２０に対して何らかの操作をした場合に表示してもよい。なお、入力パネル４００については後述する。
【００５４】
図７は、本発明の第１の実施形態において表示される第１の表示画面２００と第２の表示画面３００との表示割合の変更について説明するための図である。図７を参照すると、画面の上方に第２の表示画面３００が、下方に第１の表示画面２００が、それぞれ表示されている。
【００５５】
ここで、表示部１１０における第１の表示画面２００と第２の表示画面３００との表示割合は、操作部１２０が取得したユーザの操作に応じて決定される。例えば、図示されているように、操作部１２０であるタッチパネルが、ユーザによる画面上の任意の点への接触を取得した場合に、再生制御部１４４は、その点より上方に第２の表示画面３００を、下方に第１の表示画面２００をそれぞれ表示してもよい。また、例えば、図６において示されたように、表示部１１０に第２の表示画面３００だけが表示されている状態で、操作部１２０であるタッチパネルが、ユーザによる画面の最下部から上方に向かうドラッグを取得した場合に、再生制御部１４４は、ドラッグされた部分を上下の幅として第１の表示画面２００を表示してもよい。このとき、第１の表示画面２００に重畳された第２の表示画面３００がめくり上げられて、そのめくり上げられた部分に第１の表示画面２００が表示されるような視覚効果が表示されてもよい。
【００５６】
（まとめ）
例えば、ＢＢＳのようなコミュニケーション手段では、情報のやりとりの経緯を把握することは容易だが、重要な情報を見やすいところに保持しておくことが難しい。一方、コルクボードのようなコミュニケーション手段では、重要な情報を見やすいとことに保持しておくことは容易だが、情報のやりとりの経緯を把握することが難しい。
【００５７】
上記で説明された本発明の第１の実施形態に係る表示画面の構成は、このような課題を解決するものである。本実施形態における、再生制御部１４４が第１の表示画面２００、および第２の表示画面３００においてメッセージを再生する構成によれば、時系列のメッセージの履歴を表示すると同時に、その中からピックアップされた重要なメッセージを見やすい場所に表示することができ、ユーザはメッセージのやりとりの経緯を把握するとともに、重要なメッセージをいつでも参照することができる。
【００５８】
さらに、再生制御部１４４が、第２の表示画面３００を第１の表示画面２００に重畳させて表示部１１０に表示させる構成によれば、表示部１１０の表示面積を有効に活用して２つの表示画面を表示することができる。また、メッセージの履歴表示の手前に重要なメッセージを表示することによって、ユーザがそれぞれのメッセージの関係を直感的に把握することができる。
【００５９】
また、再生制御部１４４が、重畳して表示される第１の表示画面２００と第２の表示画面３００との表示割合を、例えばタッチパネル上の任意の点の指定など、操作部１２０が取得したユーザの操作に応じて変更する構成によれば、ユーザは直感的な操作によって容易に第１の表示画面２００と第２の表示画面３００との表示割合を切り換えることができ、メッセージの履歴と重要なメッセージとを必要に応じて交互に参照することができる。
【００６０】
また、第１の表示画面２００と第２の表示画面３００との間で、操作部１２０が取得したユーザの操作に応じてメッセージを移動させる構成によれば、ユーザは、直感的な操作によって、上記の２つの表示画面を一体的に参照することができる。
【００６１】
また、第２の表示画面３００にメッセージが追加される場合に、再生制御部１４４が、追加されたメッセージを第１の表示画面２００に自動的にコピーする構成によれば、第２の表示画面３００に直接メッセージが追加できる利便性を保ちながら、第１の表示画面２００におけるメッセージ履歴の一貫性を保つことができる。
【００６２】
また、再生制御部１４４が、第１の表示画面２００において表示されるメッセージについて、少なくとも前後のメッセージの間で傾きが異なるように所定の角度だけ傾けて表示する構成によれば、ユーザはそれぞれのメッセージを容易に区別して読むことができる。また、メッセージの履歴の表示に変化をもたせ、ユーザがもつ味気ない印象を低減することができる。
【００６３】
［１−３．メッセージの入力操作］
次に、図８〜図１０を参照して、本発明の第１の実施形態に係るメッセージの入力操作について説明する。
【００６４】
図８は、本発明の第１の実施形態において表示される入力パネル４００による手書きメッセージの作成画面の一例を示す図である。図８を参照すると、入力パネル４００は、パレット４１０、記録実行ボタン４２０、および入力領域４３０を含む。
【００６５】
入力パネル４００は、情報処理装置１００の操作部１２０に含まれるタッチパネル、または、タブレットもしくはマウスなどのポインティングデバイスによって、ユーザの手書きメッセージの入力操作を取得するために、再生制御部１４４によって表示部１１０に表示される。入力パネル４００は、操作部１２０が取得したユーザの所定の操作によって表示される。所定の操作は、例えば第１の表示画面２００において表示される入力ボタン２３０、または第２の表示画面３００において表示される入力ボタン３４０を押下することであってもよい。また、所定の操作は、キーボードの所定のキーの押下や、タッチパネルによる画面のダブルタップなど、他のいかなる操作であってもよい。
【００６６】
上記の入力パネル４００において、ユーザは、まず、パレット４１０を用いて入力の色を選ぶ。パレット４１０には、複数の色の他に、例えば線を消す消しゴムが用意されてもよい。ユーザは、次に、入力領域４３０においてメッセージを入力する。このときの入力の軌跡が、記録制御部１４２によってメッセージとして記録される。ユーザは、次に、記録実行ボタン４２０を押下して、入力したメッセージを第１の表示画面２００、または第２の表示画面３００において表示するために記録する。入力したメッセージが表示される表示画面は、入力ボタン２３０の押下によって入力パネル４００が表示された場合は第１の表示画面２００であり、入力ボタン３４０によって入力パネル４００が表示された場合は第２の表示画面３００である。なお、入力パネル４００以外の領域、つまり第１の表示画面２００、または第２の表示画面３００の領域を選択することによって、入力パネル４００を閉じることが可能である。このとき、ユーザが入力領域４３０に入力した内容は、次に入力パネル４００が表示されるときまで保存されていてもよく、また消去されてもよい。
【００６７】
ここで、再生制御部１４４は、操作部１２０を介してユーザの入力の速度を取得し、入力された線の太さを入力の速度に応じて変化させて入力領域４３０に表示してもよい。この場合、ユーザがゆっくり入力した線は太く表示され、ユーザが速く入力した線は細く表示される。また、再生制御部１４４は、操作部１２０が例えばタッチパネルまたはタブレットであって、ユーザの入力時の押圧の大きさが取得可能である場合、入力された線の太さを押圧の大きさに応じて変化させて入力領域４３０に表示してもよい。この場合、ユーザが強く入力した線は太く表示され、ユーザが弱く入力した線は細く表示される。
【００６８】
また、再生制御部１４４は、図示されているように、後ろに表示されている第１の表示画面２００または第２の表示画面３００の表示内容がある程度見えるように、後ろに表示されている表示画面よりも小さいサイズで入力パネル４００を表示してもよい。また、再生制御部１４４は、所定の透過率を有する入力パネル４００を表示してもよい。この場合、後ろに表示されている表示画面に表示されたメッセージをある程度視認しながら、入力パネル４００における入力操作をすることが可能である。例えば、あるメッセージに返答するメッセージを入力する場合に、元のメッセージを確認しながら返答のメッセージを作成することが可能である。
【００６９】
図９は、本発明の第１の実施形態において表示される入力パネル４００による、カメラ部１３０を用いた写真の撮影画面の一例を示す図である。図９を参照すると、入力パネル４００には、さらに、撮影ボタン４４０、および画像４５０が表示される。
【００７０】
撮影ボタン４４０は、カメラ部１３０に写真を撮影させるためのボタンである。カメラ部１３０によって撮影された写真は、画像データとして記録制御部１４２に送られ、記録制御部１４２は画像データをメッセージとして記録する。カメラ部１３０は、撮影ボタン４４０の押下以外にも、キーボードの所定のキーの押下や、タッチパネルによる画面のダブルタップなど、他の所定の操作によって写真を撮影してもよい。
【００７１】
画像４５０は、カメラ部１３０によって取得された画像データである。カメラ部１３０は、写真を撮影して記録制御部１４２に送るとき以外にも、撮影の待機中に、映っているものを動画データとして取り込み、再生制御部１４４に提供し、その動画データが画像４５０として表示されてもよい。また、カメラ部１３０によって写真が撮影されたときには、撮影された写真の画像データが再生制御部１４４に送られ、所定の時間、またはユーザからの指示があるまで、画像４５０として表示されてもよい。
【００７２】
なお、図示されている例においては、ユーザが店の広告をカメラにかざした状態が示されている。例えばこのように、カメラ部１３０を用いてメッセージを記録することによって、印刷された情報をそのままメッセージとして取り込むことができる。
【００７３】
図１０は、本発明の第１の実施形態において表示される入力パネル４００による、写真への書き込み画面の一例を示す図である。図１０を参照すると、画像４５０に対して、画像書き込み４６０が記録される。
【００７４】
画像書き込み４６０は、上述した手書きメッセージと同様に、情報処理装置１００の操作部１２０に含まれるタッチパネル、または、タブレットもしくはマウスなどのポインティングデバイスによって入力される。カメラ部１３０を用いて写真を撮影した後、撮影した写真である画像４５０を表示したまま、画像書き込み４６０を入力できるようにしてもよい。
【００７５】
なお、図示されている例においては、店の広告の写真である画像４５０に、ユーザが注目している商品を示す画像書き込み４６０を入力している。例えばこのように、カメラ部１３０を用いて記録した写真にさらに書き込むことによって、写真に＋αの情報を付加してメッセージとして記録することができる。
【００７６】
（まとめ）
電子化されたコミュニケーション手段においては、例えば手書きの文字や装飾による情報の記録者の意図や感情の表現を、直感的な操作によって実現することは難しい。上記で説明された本発明の第１の実施形態に係るメッセージの入力操作は、このような課題を解決するものである。再生制御部１４４が表示する入力パネル４００を用いた、タッチパネルまたはポインティングデバイスなどによる入力操作によれば、手書きの文字や装飾が、ユーザの直感的な操作によって記録される。従って、ユーザは、記録されるメッセージに意図や感情の表現を容易に加えることができる。
【００７７】
さらに、再生制御部１４４が、入力の速度または押圧の大きさに応じて入力された線の太さを変化させて表示する構成によれば、ユーザの直感的な操作によって入力された線に変化をつけることができ、メッセージにおける意図や感情の表現をより豊かにすることができる。
【００７８】
［１−４．メッセージの移動および削除操作］
次に、図１１および図１２を参照して、本発明の第１の実施形態におけるメッセージの移動および削除操作について説明する。
【００７９】
図１１は、本発明の第１の実施形態におけるメッセージの移動操作について説明するための図である。図１１を参照すると、手書きメッセージ２２０が、情報処理装置１００の操作部１２０であるタッチパネル上でのユーザのドラッグ操作に従って、第１の表示画面２００から第２の表示画面３００へと移動されている。
【００８０】
ここで、手書きメッセージ２２０は、移動中であることを示すために、第１の表示画面２００または第２の表示画面３００における通常の表示サイズよりも少し大きい表示サイズで表示されてもよい。また、手書きメッセージ２２０は、移動中であることを示すために、画面手前側に浮かび上がってくるような視覚効果を伴って表示されてもよい。手書きメッセージ２２０は、図示されているようにタッチパネル上でのユーザのドラッグ操作に従って移動するが、ドラッグ操作が終了した時点で直ちに移動を終了せず、徐々に減速しながら停止するように表示されてもよい。徐々に減速する途中で、第１の表示画面２００または第２の表示画面３００の端に到達した場合、反射した方向に方向を変えて移動するような視覚効果が表示されてもよい。
【００８１】
また、手書きメッセージ２２０は、第１の表示画面２００から第２の表示画面３００へ、またはその逆というように、表示画面間で移動してもよく、また第１の表示画面２００内、または第２の表示画面３００内で移動してもよい。また、再生制御部１４４は、手書きメッセージ２２０が移動した場合に、移動の前後で手書きメッセージ２２０の傾きの角度を変化させてもよい。移動後の傾きの角度は、手書きメッセージ２２０が移動後に表示された位置と、手書きメッセージ２２０の移動の方向とによって決定されてもよい。
【００８２】
なお、上記の説明においては、手書きメッセージ２２０を移動する場合について説明しているが、タイピングメッセージ２１０、手書きスケジュール３１０、写真３２０、または写真書き込み３３０など、第１の表示画面２００および第２の表示画面３００に表示されるあらゆるメッセージについて、上記の説明と同様に移動させることが可能である。それぞれの要素は、原則として自由な位置に移動可能であるが、第１の表示画面２００においては、履歴の整合性を保つために、メッセージの順序が変わるような移動、例えば上から下に向かってメッセージが記録されている場合に、下にあるメッセージを直前のメッセージを超えて上に移動させるような移動はできないように制限されてもよい。
【００８３】
また、上記の説明においては、操作部１２０であるタッチパネル上でのユーザのドラッグ操作に従ってメッセージを移動する場合について説明しているが、例えば、タブレットもしくはマウスなどのポインティングデバイスによるドラッグ操作、または、キーボードの方向キーの押下などの操作によって、上記の説明と同様にメッセージを移動させてもよい。
【００８４】
図１２は、本発明の第１の実施形態におけるメッセージの削除操作について説明するための図である。図１２を参照すると、手書きメッセージ２２０が、情報処理装置１００の操作部１２０を構成するタッチパネル上でのユーザのドラッグ操作に従って、第１の表示画面２００から削除されている。
【００８５】
ここで、手書きメッセージ２２０は、ユーザのドラッグ操作によって表示部１１０の端にあたる部分に移動され、そこでドラッグ操作が解除されることによって、削除される。手書きメッセージ２２０は、削除されることを示すために、それまでの表示色よりも薄く、または半透明に表示されてもよい。また、手書きメッセージ２２０は、削除されることを示すために、表示部１１０の画面外に引っ張られるような動きの視覚効果を伴って表示されてもよい。手書きメッセージ２２０は、表示部１１０の端にあたる部分においてユーザのドラッグ操作が解除された場合に、直ちに削除されてもよい。また、手書きメッセージ２２０は、表示部１１０の端にあたる部分においてユーザのドラッグ操作が解除された場合に、図示されているよりもさらに小さく表示されたり、一部だけが表示されたりして第１の表示画面２００に表示され、ユーザによる別途の操作または所定の時間の経過によって削除されてもよい。
【００８６】
なお、上記の説明においては、第１の表示画面２００に表示される手書きメッセージ２２０を削除する場合について説明しているが、タイピングメッセージ２１０、手書きスケジュール３１０、写真３２０、または写真書き込み３３０など、第１の表示画面２００および第２の表示画面３００に表示されるそれぞれの要素について、同様に削除することが可能である。
【００８７】
また、上記の説明においては、操作部１２０であるタッチパネル上でのユーザのドラッグ操作に従ってメッセージを削除する場合について説明しているが、例えば、タブレットもしくはマウスなどのポインティングデバイスによるドラッグ操作、または、キーボードの方向キーの押下などの操作によって、上記の説明と同様にメッセージを削除してもよい。
【００８８】
（まとめ）
例えばコルクボードに掲示された情報を、コルクボード上で移動したり、あるいはコルクボードから撤去したりする場合、ユーザは、意図せずとも、視覚的に得られる変化によって情報の状態を把握している。例えば、コルクボードに掲示された文書を移動する場合、文書はコルクボードから一旦離れるため、コルクボードに向かうユーザから見ると手前側に浮かび上がるような外見の変化がある。しかし、電子化されたコミュニケーション手段のインターフェースである画面上においては、移動や削除の対象となっている情報の状態を視覚的に把握することは難しい。
【００８９】
上記で説明された本発明の第１の実施形態に係るメッセージの移動および削除の操作は、このような課題を解決するものである。本実施形態に係るメッセージの移動及び削除の操作によれば、移動または削除の対象となったメッセージについて、何らかの外見的な変化が表示される。従って、ユーザは、文字または図形の移動や削除などの編集を直感的な操作によって容易に行うことができる。
【００９０】
＜２．第２の実施形態＞
次に、図１３〜図１５を参照して、本発明の第２の実施形態について説明する。なお、本発明の第２の実施形態は、第１の実施形態と比べて、メッセージの再生処理において相違するが、その他の機能構成は、第１の実施形態と略同一であるため、詳細説明は省略する。
【００９１】
図１３は、本発明の第２の実施形態において、手書きメッセージ２２０が再生される過程の一例を説明するための図である。図１３（ａ）〜（ｄ）を参照すると、手書きメッセージ２２０が、入力されたときに筆記された順序、すなわち、靴の甲の部分２２０ａ、靴の底の部分２２０ｂ、「Ｈｏｗ」の文字の部分２２０ｃ、「ａｂｏｕｔ  ｔｈｉｓ？」の文字の部分２２０ｄの順でアニメーション再生される。つまり、手書きメッセージ２２０は、入力操作の状態に応じて加工して再生される。
【００９２】
手書きメッセージ２２０をアニメーション再生するために、記録制御部１４２は、操作部１２０を介してユーザの入力操作を取得するときに、入力操作の状態をあわせて記録する。例えば、記録制御部１４２は、入力操作の状態として、各部分２２０ａ〜２２０ｄについての入力操作の所要時間を記録し、記憶部１５０に格納してもよい。具体的には、手書きメッセージ２２０の入力操作において、入力操作の開始から、各部分２２０ａ〜２２０ｄのそれぞれの入力終了までの所要時間が記録され、記憶部１５０に格納される。再生制御部１４４は、第１の表示画面２００において手書きメッセージ２２０を再生するときに、手書きメッセージ２２０のアニメーション再生開始から、各部分２２０ａ〜２２０ｄが表示されるまでの再生時間を、入力操作の所要時間に応じた時間にする。
【００９３】
ここで、再生制御部１４４は、入力操作におけるメッセージの入力の間隔部分について、再生時間を入力操作の所要時間よりも短縮してメッセージのアニメーションを再生してもよい。この場合、図示された例では、入力操作における各部分２２０ａ〜２２０ｄの入力の間隔部分については、入力操作の所要時間よりも短縮された再生時間になる。具体的には、入力操作において、部分２２０ａの入力が終了してから部分２２０ｂの入力が開始されるまでの間隔部分の所要時間が３秒であった場合、再生制御部１４４はこの間隔部分の再生時間を、入力操作の所要時間よりも短い０．５秒に設定してもよい。この場合に、入力操作の所要時間と再生時間との関係は、間隔部分における時間経過に対するメッセージ記録時とメッセージ再生時とのユーザの感じ方の違いを考慮して設定されうる。例えば、メッセージ記録時には考えながら入力するため、入力の間隔部分での時間の経過をあまり意識しないが、メッセージ再生時には、見ているだけであるため、再生の間隔部分の時間の経過を意識し、間隔部分の時間が長いと間延びして感じるといったような事情を考慮することが考えられる。
【００９４】
また、再生制御部１４４は、メッセージの全体と、メッセージのアニメーションとを並行して再生してもよい。図示された例においては、再生制御部１４４は、まず、通常よりも薄い色、または所定の透過性を有する色を用いて、手書きメッセージ２２０の全体を表示する。これと並行して、再生制御部１４４は、部分２２０ａ〜２２０ｄを順次再生する。この場合、手書きメッセージ２２０のアニメーションは、既に薄く表示されている手書きメッセージ２２０の全体をなぞるような形で再生される。また、再生制御部１４４は、メッセージの全体を通常の色で一旦表示し、次にメッセージの色を徐々に薄くし、次にメッセージのアニメーションを表示してもよい。
【００９５】
図１４は、本発明の第２の実施形態において、手書きメッセージ２２０が再生される過程の別の例を説明するための図である。図１４を参照すると、手書きメッセージ２２０のうち、靴の甲部分２２０ａおよび「Ｈｏｗ」の文字部分２２０ｃが同時にアニメーション再生される。
【００９６】
上記の例において、再生制御部１４４は、メッセージを所定の部分に分割し、各所定の部分のアニメーションを並行して再生する。図示された例においては、再生制御部１４４は、手書きメッセージ２２０のうち、靴のイラストの部分２２０ａと、文字の部分２２０ｃとを並行して再生している。ここで、再生制御部１４４は、手書きメッセージ２２０を「イラスト部分２２０ａ，２２０ｂ」と、「文字部分２２０ｃ，２２０ｄ」という所定の部分に分割し、それぞれの単位ごとに並行してアニメーション再生している。再生制御部１４４は、所定の部分として、例えば、連続した部分（例えば、図形的に接している複数の部分、または間隔を空けずに入力操作がされた部分）、または、異なる色で入力操作がされた部分などによってメッセージを分割してもよい。
【００９７】
なお、上記の例においても、再生制御部１４４は、上述のように、入力の間隔部分について、再生時間を入力操作の所要時間よりも短縮する、または、メッセージの全体をメッセージのアニメーションと並行して表示するなどしてもよい。
【００９８】
なお、図１３および図１４を参照した上記の説明においては、手書きメッセージ２２０をアニメーション再生する場合について説明しているが、タイピングメッセージ２１０、手書きスケジュール３１０、写真３２０、または写真書き込み３３０など、第１の表示画面２００および第２の表示画面３００に表示されるそれぞれの要素について、同様にアニメーション再生することが可能である。例えばタイピングメッセージ２１０の場合、記録制御部１４２は、入力操作の状態として、例えば、操作部１２０を構成するキーボードの打鍵のタイミングを記録してもよい。この場合、タイピングメッセージ２１０は、タイピングのタイミングを再現してアニメーション再生される。
【００９９】
また、第１の表示画面２００および第２の表示画面３００に複数のメッセージが表示されている場合、再生制御部１４４は、複数のメッセージから選択した特定のメッセージについてだけアニメーションを再生してもよい。特定のメッセージとは、例えば、入力操作、または移動の操作がされた直後のメッセージでありうる。また、ユーザによる操作部１２０への操作がされない場合において、再生制御部１４４は、ランダムに１つのメッセージを特定のメッセージとして選び、アニメーション表示によって再生してもよい。また、再生制御部１４４は、例えば第１の表示画面２００において、メッセージが時系列に沿ってアニメーション再生されるように、記録されたのが古いメッセージから順に特定のメッセージとして選んでもよい。このように、特定のメッセージについてだけアニメーションを再生することによって、表示の全体が雑多な印象を与えることを防ぐことができる。
【０１００】
図１５は、本発明の第２の実施形態におけるメッセージの入力操作の所要時間と再生時間との関係の一例を示すグラフである。図１５を参照すると、入力操作の所要時間に応じて、再生時間が調整される。
【０１０１】
具体的には、入力操作の所要時間が第１の所定の閾値である２秒以下である第１の範囲において、再生制御部１４４は、再生時間を入力操作の所要時間と同じ時間に設定する。入力操作の所要時間が２秒を上回り、第２の所定の閾値である２５秒以下である第２の範囲において、再生制御部１４４は、再生時間を入力操作の所要時間よりも短縮する。入力操作の所要時間が２５秒を上回る第３の範囲において、再生制御部１４４は、再生時間を入力操作の所要時間に関わらず一定の値にする。
【０１０２】
なお、上記の第２の範囲において、再生制御部１４４は、線形の関数を用いて入力操作の所要時間を再生時間に変換しているが、例えばベジエ曲線などを用いて非線形に変換してもよい。また、上記の第１の所定の閾値および第２の所定の閾値は任意の値に設定されうる。再生時間は必ずしも上記の３つの範囲によって調整されなくてもよく、第１の範囲と第２の範囲、第２の範囲と第３の範囲、または第１の範囲と第３の範囲だけが設定されてもよい。
【０１０３】
図示された例のように再生時間を調整することによって、メッセージの記録時とメッセージの再生時とにおけるユーザの時間間隔の違いが補正され、ユーザがメッセージのアニメーション再生に対して間延びした印象を持つのを防ぐことができる。
【０１０４】
図１６は、本発明の第２の実施形態におけるメッセージの入力操作の所要時間と再生時間との関係の他の例を示すグラフである。図１６を参照すると、入力操作の所要時間に応じて、再生時間が調整される。
【０１０５】
具体的には、入力操作の所要時間が所定の閾値である４秒を下回る第１の範囲において、再生制御部１４４は、再生時間を入力操作の所要時間よりも短縮する。入力操作の所要時間が所定の閾値である４秒を上回り、８秒以下である第２の範囲において、再生制御部１４４は、再生時間を入力操作の所要時間よりも延長する。入力操作の所要時間が８秒を上回る第３の範囲において、再生制御部１４４は、再生時間を入力操作の所要時間に関わらず一定の値にする。
【０１０６】
なお、上記の第１および第２の範囲において、再生制御部１４４は、線形の関数を用いて入力操作の所要時間を再生時間に変換しているが、例えばベジエ曲線などを用いて非線形に変換してもよい。また、上記の所定の閾値は、任意の値に設定されうる。再生時間は必ずしも上記の３つの範囲によって調整されなくてもよく、第１の範囲と第２の範囲、第２の範囲と第３の範囲、または第１の範囲と第３の範囲だけが設定されてもよい。
【０１０７】
上記の例のように再生時間を調整することによって、入力操作の所要時間が短い場合には、再生時間がさらに短くなり、入力操作の所要時間が長い場合には、再生時間がさらに長くなる。つまり、入力操作時に速く入力された部分はさらに速く、ゆっくり入力された部分はさらにゆっくり、といったように、入力の速度が誇張されて表示される。また、上記の第３の範囲を設定すれば、再生時間が際限なく長くなることを防ぎ、入力の速度の誇張を現実的な範囲にとどめることができる。
【０１０８】
なお、図１５および図１６を参照した上記の説明における再生時間の調整は、相互に組み合わせてもよい。つまり、再生時におけるユーザの間隔に合わせて、再生時間を短縮する部分、再生時間を延長する部分、再生時間を一定にする部分の組み合わせを適宜設定してもよい。
【０１０９】
（まとめ）
電子化されたコミュニケーション手段においては、メッセージの直接的な内容以外の要素によって情報の記録者の意図や感情を表現することが容易ではなかった。例えば手書きのメッセージを画像として保存した場合であっても、メッセージが記録されたときの雰囲気、または記録者の意図や感情を表現するのには十分ではなかった。
【０１１０】
上記で説明された本発明の第２の実施形態に係るメッセージの再生処理は、このような課題を解決するものである。本実施形態に係る情報処理装置１００の再生制御部１４４が、入力操作の状態に応じてメッセージを加工して再生する構成によれば、メッセージが記録されたときの入力操作の状態が、例えばアニメーションとしてメッセージの再生に反映される。従って、メッセージを記録するユーザは、メッセージが記録されたときの雰囲気、または記録者の意図や感情をより豊かに表現することができ、メッセージを再生するユーザは、それらを感じ取ることができる。また、メッセージの内容、筆致、色、および装飾などといった静的な要素に加えて、入力の速度や順序などといった動的な要素を変化させることができ、ユーザはメッセージの記録および再生をより楽しむことができる。
【０１１１】
さらに、再生制御部１４４が、入力操作の所要時間に応じた再生時間でメッセージを再生する構成によれば、再生されるメッセージが表示される速度によって、例えばメッセージの記録者が強調したい部分、または悩んだ部分などを表現することができる。
【０１１２】
また、再生制御部１４４が、入力の間隔部分の再生時間を、入力操作の際の所要時間よりも短い再生時間にする構成によれば、メッセージの再生のアニメーションが空白の時間によって間延びすることを防ぎ、入力操作時の雰囲気を保ったまま再生時間を短縮することができる。
【０１１３】
また、再生制御部１４４が、メッセージの全体と、メッセージのアニメーションとを並行して再生する構成によれば、アニメーション表示の途中であっても、メッセージの全体が少なくともある程度の視認性をもって表示され、ユーザがすぐにメッセージの内容を把握することができる。
【０１１４】
また、再生制御部１４４が、メッセージを所定の部分に分割し、それぞれの単位ごとに並行して再生する構成によれば、入力操作時の雰囲気をある程度保ったまま、再生時間を短縮できる。
【０１１５】
また、再生制御部１４４が、入力操作の所要時間が第１の所定の閾値を上回る場合に、メッセージの再生時間を入力操作の所要時間よりも短縮する構成によれば、入力操作に時間がかかったメッセージであっても、アニメーション再生が冗長になることを防ぎながら、入力の速度の差を反映したアニメーション表示をすることができる。
【０１１６】
また、再生制御部１４４が、入力操作の所要時間が第２の所定の閾値を上回る場合に、メッセージの再生時間を入力操作の所要時間に関わらず所定の時間にする構成によれば、入力操作に時間がかかったメッセージであっても、再生時間が際限なく長くなることを防ぎ、入力の速度の誇張を現実的な範囲にとどめることができる。
【０１１７】
また、再生制御部１４４が、入力操作の所要時間が第３の所定の閾値を下回る場合に、メッセージの再生時間を入力操作の所要時間よりも短縮する構成によれば、入力操作時に速く入力された部分をさらに速く再生し、入力の速さを強調することができる。
【０１１８】
また、再生制御部１４４が、入力操作の所要時間が第４の所定の閾値を上回る場合に、メッセージの再生時間を入力操作の所要時間よりも延長する構成によれば、入力操作時にゆっくり入力された部分をさらにゆっくり再生し、入力の遅さを強調することができる。
【０１１９】
＜３．第３の実施形態＞
次に、図１７〜図１９を参照して、本発明の第３の実施形態について説明する。なお、本発明の第３の実施形態は、第１および第２の実施形態と比べて、情報処理装置に通信部が追加される点において相違するが、その他の機能構成は、第１または第２の実施形態と略同一であるため、詳細説明は省略する。
【０１２０】
図１７は、本発明の第３の実施形態に係る情報処理装置６００の機能構成を示すブロック図である。図１７を参照すると、情報処理装置６００は、表示部１１０、操作部１２０、制御部１４０、記憶部１５０、および通信部１６０を有し、カメラ部１３０が必要に応じて追加される。
【０１２１】
通信部１６０は、ネットワーク７００上のサーバを介して、他の情報処理装置８００と通信する。通信部１６０は、例えばＬＡＮ（Local  Area  Network）、またはＵＳＢなどのネットワークインターフェースでありうる。通信部１６０は、他の情報処理装置８００によって記録されたメッセージを受信する。他の情報処理装置８００は、例えば携帯端末、パーソナルコンピュータなど、メッセージの作成が可能なあらゆる種類の装置でありうる。また、他の情報処理装置８００は、情報処理装置６００と同様の構成を有する情報処理装置であってもよい。
【０１２２】
図１８は、本発明の第３の実施形態における表示画面の一例を示す図である。図１８を参照すると、第１の表示画面２００には、他の情報処理装置８００によって記録された新着メッセージ２１０ｃが表示される。
【０１２３】
新着メッセージ２１０ｃは、他の情報処理装置８００から送信され、通信部１６０によって受信される。通信部１６０は、新着メッセージ２１０ｃを再生制御部１４４に送り、再生制御部１４４は、新着メッセージ２１０ｃを表示部１１０に表示する。新着メッセージ２１０ｃは、図示されているようにタイピングメッセージでもよく、手書きメッセージ、手書きスケジュール、写真、または書き込みを伴う写真でもよい。新着メッセージ２１０ｃがタイピングメッセージである場合、図示されているように、メッセージの記録者を示すアイコンを伴ってもよい。
【０１２４】
ここで、再生制御部１４４は、他の情報処理装置８００から受信された新着メッセージ２１０ｃを通信部１６０から取得した場合、新着メッセージ２１０ｃを第１の表示画面２００の画面の最下部に表示しうる。この場合、再生制御部１４４は、第１の表示画面２００の最下部に新着メッセージ２１０ｃを表示した分、それまでに表示されていたタイピングメッセージ２１０ａ、および手書きメッセージ２２０を、より古いメッセージであるタイピングメッセージ２１０ａが表示されている方向にスクロールさせて表示する。新着メッセージ２１０ｃは、表示後にユーザが何らかの操作をした場合に、メッセージの履歴に取り込まれ、他のメッセージと同様に移動または削除などの操作ができるようになる。
【０１２５】
また、表示部１１０の略全体に第２の表示画面３００が表示されているような場合、再生制御部１４４は、自動的に第１の表示画面２００と第２の表示画面３００との表示割合を変更し、画面の最下部を第１の表示画面２００にして、新着メッセージ２１０ｃを表示してもよい。この場合、第１の表示画面２００に重畳された第２の表示画面３００がめくり上げられるような視覚効果が表示されてもよい。
【０１２６】
図１９は、本発明の第３の実施形態における新着メッセージ２１０ｃの表示の処理を説明するためのフローチャートである。図１９を参照すると、再生制御部１４４が、他の操作または表示との衝突を避けて新着メッセージ２１０ｃを表示するための処理が示されている。
【０１２７】
まず、再生制御部１４４は、入力パネル４００が表示中であるか否かを判定する(ステップＳ５０１)。ここで、入力パネル４００が表示中であると判定された場合、再生制御部１４４は、以前の新着メッセージが表示中であるか否かを判定する（ステップＳ５０３）。一方、入力パネル４００が表示中ではないと判定された場合、再生制御部１４４は、ユーザが操作部１２０への操作によってメッセージを移動中であるか否かを判定する（ステップＳ５０５）。
【０１２８】
ステップＳ５０５において、ユーザがメッセージを移動中であると判定された場合、メッセージ移動の操作と新着メッセージ２１０ｃの表示との衝突を避けるため、再生制御部１４４は、処理を終了する。一方、ユーザがメッセージを移動中ではないと判定された場合、再生制御部１４４は、以前の新着メッセージが表示中であるか否かを判定する（ステップＳ５０３）。
【０１２９】
ステップＳ５０３において、以前の新着メッセージが表示中であると判定された場合、以前に受信されてユーザが未確認の新着メッセージの表示との衝突を避けるため、再生制御部１４４は処理を終了する。一方、以前の新着メッセージが表示中ではないと判定された場合、再生制御部１４４は、通信部１６０に受信された新着メッセージ２１０ｃを確認する（ステップＳ５０７）。
【０１３０】
続いて、ステップＳ５０９において、再生制御部１４４は、通信部１６０に受信された新着メッセージ２１０ｃが存在するか否か判定する（ステップＳ５０９）。ここで、新着メッセージ２１０ｃが存在すると判定された場合、再生制御部１４４は、新着メッセージ２１０ｃを表示して（ステップＳ５１１）、処理を終了する。一方、新着メッセージが存在しないと判定された場合、再生制御部１４４は、処理を終了する。
【０１３１】
（まとめ）
上記で説明された本発明の第３の実施形態に係る表示画面の構成によれば、本発明の第１または第２の実施形態において得られる効果を、さらに、ネットワークを介して受信されたメッセージについても得ることができる。しかし、ネットワークを介して受信されたメッセージが表示される場合、情報処理装置６００におけるメッセージの入力、移動または削除などの操作の途中にメッセージが割り込み、操作が妨げられるという問題が生じることが考えられる。
【０１３２】
そのような場合に、本実施形態の、他の操作または表示との衝突を避けて新着メッセージ２１０ｃを表示する構成が有効である。この構成によれば、再生制御部１４４は、情報処理装置６００におけるメッセージの入力、移動または削除などの処理が終了するまで、新着メッセージの表示を抑制する。従って、ユーザは、情報処理装置６００におけるメッセージの入力、移動または削除などの処理を終えてから、余裕をもって新着メッセージを確認することができ、新着メッセージの確認ミスを減らすことができる。
【０１３３】
＜４．補足＞
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３４】
例えば、本発明の第３の実施形態に係る情報処理装置は、ネットワーク上のサーバを介して他の情報処理装置からのメッセージを受信することとしたが、本発明は係る例に限定されない。例えば、情報処理装置は、自らがサーバとなって、直接他の情報処理装置からのメッセージを受信してもよい。
【符号の説明】
【０１３５】
１００，６００    情報処理装置
１１０    表示部
１２０    操作部
１３０    カメラ部
１４０    制御部
１４２    記録制御部
１４４    再生制御部
１５０    記憶部
１６０    通信部
２００    第１の表示画面
３００    第２の表示画面
４００    入力パネル
７００    ネットワーク
８００    他の情報処理装置
【図１】
2012003689.tif 000003
【図２】
2012003689.tif 000004
【図３】
2012003689.tif 000005
【図４】
2012003689.tif 000006
【図５】
2012003689.tif 000007
【図６】
2012003689.tif 000008
【図７】
2012003689.tif 000009
【図８】
2012003689.tif 000010
【図９】
2012003689.tif 000011
【図１０】
2012003689.tif 000012
【図１１】
2012003689.tif 000013
【図１２】
2012003689.tif 000014
【図１３】
2012003689.tif 000015
【図１４】
2012003689.tif 000016
【図１５】
2012003689.tif 000017
【図１６】
2012003689.tif 000018
【図１７】
2012003689.tif 000019
【図１８】
2012003689.tif 000020
【図１９】
2012003689.tif 000021